(57)【要約】本発明は、１対多サービスに関する制御情報の通知を送受信する方法に関し、好ましくは、移動端末は、第１周期の間にネットワークから通知情報を受信する。次に、前記移動端末は、第２周期の間に前記通知情報によって制御情報メッセージを受信するために制御チャネルを受信するか否かを決定する。その後、前記移動端末は、前記第２周期の間に前記制御情報メッセージを受信すると決定した場合、前記第２周期の間に１対多サービスに関する前記制御情報メッセージを受信する。
2007536785.tif 000002
【特許請求の範囲】
【請求項１】
少なくとも１つの１対多サービスに加入している複数の移動端末が受信する通知情報を第１周期の間にネットワークから受信する段階と、
前記通知情報によって第２周期の間に制御情報メッセージを受信するために制御チャネルを受信するか否かを判断する段階と、
前記移動端末が前記第２周期の間に前記制御情報メッセージを受信すると決定した場合、前記第２周期の間に前記１対多サービスに関する制御情報メッセージを受信する段階と
を含むことを特徴とする無線通信システムの移動端末における１対多サービス受信方法。
【請求項２】
前記通知情報は、特定時間間隔の間に周期的に受信されることを特徴とする請求項１に記載の無線通信システムの移動端末における１対多サービス受信方法。
【請求項３】
前記第１周期は、修正周期であることを特徴とする請求項１に記載の無線通信システムの移動端末における１対多サービス受信方法。
【請求項４】
前記第２周期は、次の修正周期であることを特徴とする請求項１に記載の無線通信システムの移動端末における１対多サービス受信方法。
【請求項５】
前記通知情報によって第２周期の間に制御情報メッセージを受信するために制御チャネルを受信するか否かを判断する段階は、
前記通知情報が、前記１対多サービスに加入している移動端末が前記第２周期の間に前記制御情報メッセージを受信するように指示するか否かを判断する段階を含むことを特徴とする請求項１に記載の無線通信システムの移動端末における１対多サービス受信方法。
【請求項６】
前記制御チャネルは、ＭＣＣＨであることを特徴とする請求項１に記載の無線通信システムの移動端末における１対多サービス受信方法。
【請求項７】
前記制御情報メッセージは、周期的に受信されることを特徴とする請求項１に記載の無線通信システムの移動端末における１対多サービス受信方法。
【請求項８】
前記通知情報は、ＭＴＣＨを伝送する物理チャネルＳＣＣＰＣＨで受信されることを特徴とする請求項１に記載の無線通信システムの移動端末における１対多サービス受信方法。
【請求項９】
前記ネットワークから前記通知情報を受信するためのスケジューリング情報を受信する段階と、
前記スケジューリング情報によって前記通知情報を受信する段階とをさらに含むことを特徴とする請求項１に記載の無線通信システムの移動端末における１対多サービス受信方法。
【請求項１０】
前記スケジューリング情報は、周期的に受信されることを特徴とする請求項９に記載の無線通信システムの移動端末における１対多サービス受信方法。
【請求項１１】
スケジューリング周期内で前記通知情報の受信時点は一定でないことを特徴とする請求項９に記載の無線通信システムの移動端末における１対多サービス受信方法。
【請求項１２】
前記スケジューリング情報によってＭＴＣＨを伝送するＳＣＣＰＣＨを不連続的に受信する段階をさらに含むことを特徴とする請求項９に記載の無線通信システムの移動端末における１対多サービス受信方法。
【請求項１３】
少なくとも１つの１対多サービスに加入している複数の移動端末に提供される通知情報を第１周期の間に伝送する段階と、
第２周期の間に前記１対多サービスに関する制御情報メッセージを送信する段階と、を含み、
前記通知情報は、移動端末で前記第２周期の間に前記制御情報メッセージを受信するための制御チャネルの受信の指示を含むことを特徴とする無線通信システムのネットワークからの１対多サービス伝送方法。
【請求項１４】
前記通知情報は、特定時間間隔の間に周期的に伝送されることを特徴とする請求項１３に記載の無線通信システムのネットワークからの１対多サービス伝送方法。
【請求項１５】
前記第１周期は、修正周期であることを特徴とする請求項１３に記載の無線通信システムのネットワークからの１対多サービス伝送方法。
【請求項１６】
前記第２周期は、次の修正周期であることを特徴とする請求項１３に記載の無線通信システムのネットワークからの１対多サービス伝送方法。
【請求項１７】
前記制御チャネルは、ＭＣＣＨであることを特徴とする請求項１３に記載の無線通信システムのネットワークからの１対多サービス伝送方法。
【請求項１８】
前記制御情報メッセージは、周期的に送信されることを特徴とする請求項１３に記載の無線通信システムのネットワークからの１対多サービス伝送方法。
【請求項１９】
前記通知情報は、ＭＴＣＨを伝送する物理チャネルＳＣＣＰＣＨで伝送されることを特徴とする請求項１３に記載の無線通信システムのネットワークからの１対多サービス伝送方法。
【請求項２０】
前記通知情報を受信するために前記移動端末にスケジューリング情報を伝送する段階と、
前記スケジューリング情報によって前記通知情報を伝送する段階とをさらに含むことを特徴とする請求項１３に記載の無線通信システムのネットワークからの１対多サービス伝送方法。
【請求項２１】
前記スケジューリング情報は、周期的に伝送されることを特徴とする請求項２０に記載の無線通信システムのネットワークからの１対多サービス伝送方法。
【請求項２２】
スケジューリング周期内で前記通知情報の伝送時点は一定でないことを特徴とする請求項２０に記載の無線通信システムのネットワークからの１対多サービス伝送方法。
【請求項２３】
前記スケジューリング情報によって前記ＭＴＣＨを伝送する前記ＳＣＣＰＣＨを不連続的に伝送する段階をさらに含むことを特徴とする請求項２０に記載の無線通信システムのネットワークからの１対多サービス伝送方法。
【請求項２４】
少なくとも１つの１対多サービスに加入している複数の移動端末が受信する通知情報を第１周期の間にネットワークから受信する手段と、
前記通知情報によって第２周期の間に制御情報メッセージを受信するために制御チャネルを受信するか否かを判断する手段と、
移動端末が前記第２周期の間に前記制御情報メッセージを受信すると決定した場合、前記第２周期の間に前記１対多サービスに関する前記制御情報メッセージを受信する手段と
を含むことを特徴とする移動通信システムにおいて１対多サービスを受信する移動端末。
【請求項２５】
前記通知情報は、特定時間間隔の間に周期的に受信されることを特徴とする請求項２４に記載の移動通信システムにおいて１対多サービスを受信する移動端末。
【請求項２６】
前記第１周期は、修正周期であることを特徴とする請求項２４に記載の移動通信システムにおいて１対多サービスを受信する移動端末。
【請求項２７】
前記第２周期は、次の修正周期であることを特徴とする請求項２４に記載の移動通信システムにおいて１対多サービスを受信する移動端末。
【請求項２８】
前記通知情報によって第２周期の間に制御情報メッセージを受信するために制御チャネルを受信するか否かを判断するための手段は、
前記通知情報が、前記１対多サービスに加入している移動端末が前記第２周期の間に前記制御情報メッセージを受信するように指示するか否かを判断する手段とを含むことを特徴とする請求項２４に記載の移動通信システムにおいて１対多サービスを受信する移動端末。
【請求項２９】
前記制御チャネルは、ＭＣＣＨであることを特徴とする請求項２４に記載の移動通信システムにおいて１対多サービスを受信する移動端末。
【請求項３０】
前記制御情報メッセージは、周期的に受信されることを特徴とする請求項２４に記載の移動通信システムにおいて１対多サービスを受信する移動端末。
【請求項３１】
前記通知情報は、ＭＴＣＨを伝送する物理チャネルＳＣＣＰＣＨで受信されることを特徴とする請求項２４に記載の移動通信システムにおいて１対多サービスを受信する移動端末。
【請求項３２】
前記通知情報を受信するためにネットワークからスケジューリング情報を受信する手段と、
前記スケジューリング情報によって前記通知情報を受信する手段とをさらに含むことを特徴とする請求項２４に記載の移動通信システムにおいて１対多サービスを受信する移動端末。
【請求項３３】
前記スケジューリング情報は、周期的に受信されることを特徴とする請求項３２に記載の移動通信システムにおいて１対多サービスを受信する移動端末。
【請求項３４】
スケジューリング周期内で前記通知情報の受信時点は一定でないことを特徴とする請求項３２に記載の移動通信システムにおいて１対多サービスを受信する移動端末。
【請求項３５】
前記スケジューリング情報によってＭＴＣＨを伝送するＳＣＣＰＣＨを不連続的に受信する手段をさらに含むことを特徴とする請求項３２に記載の移動通信システムにおいて１対多サービスを受信する移動端末。
【発明の詳細な説明】
【技術分野】
【０００１】
本発明は、無線通信システムにおける１対多サービスに関し、より詳しくは、１対多サービスに関する制御情報の通知を送受信する方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。
【０００３】
図１は、従来のＵＭＴＳネットワーク構造１を示す図である。移動端末又はユーザ装置（ＵＥ）２は、ＵＴＲＡＮ（ＵＭＴＳ  ｔｅｒｒｅｓｔｒｉａｌ  ｒａｄｉｏ  ａｃｃｅｓｓ  ｎｅｔｗｏｒｋ）６を介してコアネットワーク４に接続する。前記ＵＴＲＡＮ６は、前記ＵＥ２と前記コアネットワーク４間の通信のための無線接続ベアラの設定、維持、及び管理を行い、エンドツーエンドのサービス品質要求事項を充足させる。
【０００４】
前記ＵＴＲＡＮ６は、複数の無線ネットワークサブシステム（Ｒａｄｉｏ  Ｎｅｔｗｏｒｋ  Ｓｕｂｓｙｓｔｅｍｓ：ＲＮＳ）８から構成され、各ＲＮＳ８は、複数の基地局又はＮｏｄｅ  Ｂ１２を管理する１つの無線ネットワーク制御装置（Ｒａｄｉｏ  Ｎｅｔｗｏｒｋ  Ｃｏｎｔｒｏｌｌｅｒ：ＲＮＣ）１０を含む。所定の基地局１２に接続したＲＮＣ１０は、１つのセル内で動作する前記ＵＥ２に提供される共有リソースの割り当て及び管理を担当する制御ＲＮＣを意味する。１つのＮｏｄｅ  Ｂには、１つ以上のセルが存在する。前記制御ＲＮＣ１０は、トラヒック負荷、セル輻輳（ｃｏｎｇｅｓｔｉｏｎ）、及び新しい無線リンクの承認を制御する。各Ｎｏｄｅ  Ｂ１２は、前記ＵＥ２からアップリンク信号を受信し、前記ＵＥ２にダウンリンク信号を伝送する。各Ｎｏｄｅ  Ｂ１２は、前記ＵＥ２と前記ＵＴＲＡＮ６を接続するアクセスポイントの役割を果たし、前記ＲＮＣ１０は、該当Ｎｏｄｅ  Ｂと前記コアネットワーク４を接続するためのアクセスポイントの役割を果たす。
【０００５】
前記ＵＴＲＡＮ６のＲＮＳ８のうち、サービングＲＮＣ１０は、特定ＵＥにサービスを提供するための専用無線リソースを管理するＲＮＣであり、前記特定ＵＥにデータを送信するための前記コアネットワーク４とのアクセスポイントである。前記ＵＥ２に接続された他の全てのＲＮＣがドリフト（ｄｒｉｆｔ）ＲＮＣであるため、前記ＵＴＲＡＮ６を介して前記ＵＥと前記コアネットワーク４を接続するサービングＲＮＣ１０は１つのみ存在する。前記ドリフトＲＮＣ１０は、ユーザデータのルーティングを容易にし、共有リソースとして符号を割り当てる。
【０００６】
前記ＵＥ２と前記ＵＴＲＡＮ６間のインタフェースは、無線アクセスネットワーク規格に準拠して設定された無線インタフェースプロトコルにより実現されるが、この無線インタフェースプロトコルは、例えば、３ＧＰＰ規格で説明された物理層（Ｌ１）、データリンク層（Ｌ２）、及びネットワーク層（Ｌ３）からなる。これらの層は、通信システムにおいて公知の開放型システム間相互接続（ＯＳＩ）モデルの下位３層に基づく。
【０００７】
図２は、従来の無線インタフェースプロトコルの構造を示す。図２に示すように、前記無線インタフェースプロトコルは、水平的には、物理層と、データリンク層と、ネットワーク層とに区分され、垂直的には、音声信号及びＩＰパケット送信などのデータトラヒックを転送するためのユーザプレーンと、インタフェースの維持及び管理のための制御情報を転送するための制御プレーンとに区分される。
【０００８】
物理層（ＰＨＹ）は、上位層に情報転送サービスを提供し、媒体アクセス制御（ＭＡＣ）層とは送信チャネル（Ｔｒａｎｓｐｏｒｔ  Ｃｈａｎｎｅｌ）で接続される。データは、送信チャネルを介して前記ＭＡＣ層と前記物理層間を移動する。また、データ送信は、相異なる物理層間、すなわち、送信側（送信機）と受信側（受信機）の物理層間で物理チャネルを介して行われる。
【０００９】
第２層（Ｌ２）のＭＡＣ層は、上位層に情報転送サービスを提供し、論理チャネルを介して無線リンク制御（Ｒａｄｉｏ  Ｌｉｎｋ  Ｃｏｎｔｒｏｌ：ＲＬＣ）層に接続される。前記第２層（Ｌ２）のＲＬＣ層は、信頼性のあるデータ送信をサポートし、上位層からのＲＬＣサービスデータ単位（ＳＤＵ）の分割及び連結機能を果たす。
【００１０】
第３層（Ｌ３）の最下部に位置する無線リソース制御（Ｒａｄｉｏ  Ｒｅｓｏｕｒｃｅ  Ｃｏｎｔｒｏｌ：ＲＲＣ）層は、制御プレーンにおいてのみ定義され、無線ベアラ（Ｒａｄｉｏ  Ｂｅａｒｅｒ：ＲＢ）の設定、再設定及び解除に関連して送信チャネル及び物理チャネルを制御する。ここで、ＲＢは、前記ＵＥ２と前記ＵＴＲＡＮ６間のデータ転送のために、ＲＬＣ層又はＭＡＣ層などの下位層により提供されるサービスである。
【００１１】
ＲＢの設定とは、特定サービスを提供するために必要なプロトコル層及びチャネルの特性を規定することで、前記サービスのパラメータ及び動作方法を設定することである。特定ＵＥ２のＲＲＣ層とＵＴＲＡＮ６のＲＲＣ層間に接続が設定されて転送が可能なときは、前記ＵＥ２がＲＲＣ接続状態にあるといい、接続されていないときは、前記ＵＥ２がアイドル状態にあるという。
【００１２】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：  ＭＢＭＳ又はＭＢＭＳサービス）について説明する。ＭＢＭＳとは、１対多無線ベアラ及び１対１無線ベアラの少なくとも１つを利用するダウンリンク専用のＭＢＭＳ無線ベアラを使用して複数のＵＥ２にストリーミング及びバックグラウンドサービスを提供する方法をいう。１つのＭＢＭＳサービスは、１つ以上のセッションを含み、ＭＢＭＳデータは、セッション中にのみＭＢＭＳ無線ベアラで複数の端末に送信される。
【００１３】
ＭＢＭＳは、その名称から分かるように、ブロードキャストモード又はマルチキャストモードで行われる。前記ブロードキャストモードは、ブロードキャスト領域、例えば、ブロードキャストサービスが利用可能なドメイン内の全てのＵＥにマルチメディアデータを送信するためのモードである。前記マルチキャストモードは、マルチキャスト領域、例えば、マルチキャストサービスが利用可能なドメイン内の特定ＵＥグループにマルチメディアデータを送信するためのモードである。
【００１４】
前記ＵＴＲＡＮ６は、ＲＢを使用して前記ＵＥ２にＭＢＭＳサービスを提供する。前記ＵＴＲＡＮ６により使用されるＲＢは、１対１ＲＢと１対多ＲＢに分類される。前記１対１ＲＢは、双方向ＲＢ（ｂｉ−ｄｉｒｅｃｔｉｏｎａｌ  ＲＢ）であり、論理チャネルＤＴＣＨ（Ｄｅｄｉｃａｔｅｄ  Ｔｒａｆｆｉｃ  Ｃｈａｎｎｅｌ）、送信チャネルＤＣＨ（Ｄｅｄｉｃａｔｅｄ  Ｃｈａｎｎｅｌ）並びに物理チャネルＤＰＣＨ（Ｄｅｄｉｃａｔｅｄ  Ｐｈｙｓｉｃａｌ  Ｃｈａｎｎｅｌ）もしくはＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。
【００１５】
１対多ＲＢは、単方向ダウンリンクＲＢ（ｕｎｉ−ｄｉｒｅｃｔｉｏｎａｌ  ｄｏｗｎｌｉｎｋ  ＲＢ）であり、図３に示すように、論理チャネルＭＴＣＨ（ＭＢＭＳ  Ｔｒａｆｆｉｃ  Ｃｈａｎｎｅｌ）、送信チャネルＦＡＣＨ、及び物理チャネルＳＣＣＰＣＨを含む。前記論理チャネルＭＴＣＨは、１つのセルに提供されるそれぞれのＭＢＭＳサービス毎に設定され、特定ＭＢＭＳサービスのユーザプレーンデータを前記ＵＥ２に伝送するために使用される。
【００１６】
前記ＭＢＭＳサービスを提供するＵＴＲＡＮ６は、ＭＣＣＨ（ＭＢＭＳ  Ｃｏｎｔｒｏｌ  Ｃｈａｎｎｅｌ）でＭＢＭＳ関連制御情報を複数の端末（ＵＥ）２に送信する。前記論理チャネルＭＣＣＨは、１対多ダウンリンクチャネルであり、前記ＳＣＣＰＣＨにマッピングされたＦＡＣＨにマッピングされる。前記ＭＢＭＳ関連制御情報は、ＭＢＭＳサービスの開始を示すセッション開始（ｓｅｓｓｉｏｎ  ｓｔａｒｔ）、ＭＢＭＳサービスの終了を示すセッション終了（ｓｅｓｓｉｏｎ  ｅｎｄ）、ＭＢＭＳサービスが１対１ＲＢで提供されるか、１対多ＲＢで提供されるかを示すＲＢタイプインジケータ、前記ＲＢが１対多ＲＢである場合、ＭＴＣＨのような１対多ＲＢ情報を提供するためのＲＢ情報、前記ＭＢＭＳサービスを受信しようとする端末の数を測定するための集計情報、及び前記ＭＢＭＳサービスの提供中に前記ＭＢＭＳサービスを受信しようとする端末の数を再集計する再集計情報を含む。
【００１７】
図３は、ＵＥ側のＭＢＭＳのためのチャネルマッピングを示す。前記ＭＢＭＳ関連制御情報は、独立したメッセージに含まれて伝送されるか、又は、全てが１つのＭＢＭＳ制御メッセージに含まれて伝送される。前記ＭＢＭＳに関する多様な制御情報を伝送するためには、論理チャネルＭＣＣＨが使用される。ＭＣＣＨのチャネルマッピングは、ＭＴＣＨのマッピングと類似している。すなわち、ＭＣＣＨは、１対多ダウンリンクチャネルであり、送信チャネルＦＡＣＨにマッピングされ、ＦＡＣＨは、物理チャネルＳＣＣＰＣＨにマッピングされる。また、１つのサービスには１つのＭＴＣＨのみが提供され、１つのセルには１つのＭＣＣＨのみが提供される。
【００１８】
ＭＢＭＳサービスを受信しようとする端末（ＵＥ）２は、まずＭＣＣＨでＭＢＭＳ制御情報を受信しなければならない。しかしながら、端末２は、ＭＢＭＳに対して１つのＳＣＣＰＣＨのみを受信することができ、ＭＣＣＨは、ＭＴＣＨと関係ない他のＳＣＣＰＣＨで伝送されるため、前記端末は、自身が既に１つ以上のＭＢＭＳサービスを受信した場合、前記ＭＣＣＨを受信することができない。
【００１９】
図４は、従来のＭＣＣＨ情報伝送方法を示す。前記ＭＣＣＨ情報は、修正周期及び繰り返し周期で周期的に伝送される。また、前記ＭＣＣＨ情報は、重要情報（ｃｒｉｔｉｃａｌ  ｉｎｆｏｒｍａｔｉｏｎ）と非重要情報に分けられる。前記非重要情報は、伝送される各修正周期及び繰り返し周期の間に容易に修正できる。しかしながら、前記重要情報は、伝送される各修正周期の間にのみ修正できる。このように、前記重要情報は、繰り返し周期毎に１回ずつ繰り返して伝送されるが、修正された重要情報は、前記修正周期が開始する時点でのみ伝送される。
【００２０】
１対多ＲＢを利用して特定ＭＢＭＳサービスを受信しようとするＵＥは、ＭＣＣＨチャネルでＲＢ情報を含むＭＣＣＨ情報を受信する。前記ＵＥは、前記ＭＣＣＨ情報を利用して前記１対多ＲＢを設定する。前記１対多ＲＢが設定されると、前記ＵＥは継続してＭＴＣＨがマッピングされた物理チャネルＳＣＣＰＣＨを受信して、前記ＭＴＣＨで伝送される特定ＭＢＭＳサービスデータを取得する。
【００２１】
図５は、物理チャネルＳＣＣＰＣＨで不連続ＭＢＭＳデータ、スケジューリング情報、及びＳＮＩ（Ｓｅｃｏｎｄａｒｙ  Ｎｏｔｉｆｉｃａｔｉｏｎ  Ｉｎｄｉｃａｔｏｒ）を伝送する一例を示す。ＵＴＲＡＮは、ＭＴＣＨでＭＢＭＳデータを不連続的に伝送でき、これと同時に、ＭＴＣＨにマッピングされたＳＣＣＰＣＨでスケジューリング情報をＵＥに周期的に伝送できる。ここで、前記スケジューリング情報は、１つのスケジューリング周期の間に伝送されるＭＢＭＳサービスの伝送周期をＵＥに通知するためのものである。ＵＴＲＡＮは、ＵＥが前記スケジューリング情報を受信できるように、前記スケジューリング情報、すなわち、スケジューリング周期の伝送周期をＵＥに通知した。従って、ＵＥがＵＴＲＡＮから前記スケジューリング周期を取得すると、前記取得されたスケジューリング周期で前記スケジューリング情報を受信する。ＵＥは前記受信されたスケジューリング情報を利用してＭＴＣＨがマッピングされたＳＣＣＰＣＨも不連続的に受信する。
【００２２】
図５に示すように、特定ＭＢＭＳサービスに対するＭＴＣＨが設定されると、ＵＴＲＡＮは、前記ＭＴＣＨがマッピングされたＳＣＣＰＣＨでＵＥにＳＮＩを伝送できる。特定ＭＢＭＳサービスに関するＭＣＣＨ情報がＭＣＣＨで伝送されると、前記ＳＮＩにより前記ＭＣＣＨ情報の伝送を該当ＭＴＣＨを受信するＵＥに通知する。つまり、ＭＣＣＨで伝送されるＭＣＣＨ情報が存在すると、ＵＴＲＡＮは、ＭＴＣＨがマッピングされたＳＣＣＰＣＨで前記ＳＮＩをＵＥに伝送する。従って、ＵＥは、まずＳＣＣＰＣＨでＳＮＩを受信した後、前記ＳＮＩの指示に従って前記ＭＣＣＨを受信する。その後、ＵＥは、前記ＭＣＣＨでＭＣＣＨ情報を受信する。前記ＳＮＩは、ＭＴＣＨで、又は、前記ＭＴＣＨとともに、ＳＣＣＰＣＨにマッピングされた他の論理チャネルで送受信できる。
【００２３】
しかしながら、従来において、ＵＥはＳＮＩが伝送される時間が分からなかった。例えば、図４に示すように、ＵＥが前記スケジューリング情報によってＭＴＣＨがマッピングされたＳＣＣＰＣＨを不連続的に受信すると、前記スケジューリング情報によってはＭＢＭＳデータの伝送間隔のみを通知できるため、ＵＥは、ＭＢＭＳサービスが伝送される周期の間にのみ前記ＳＣＣＰＣＨを受信する。
【００２４】
従って、ＭＴＣＨがマッピングされたＳＣＣＰＣＨを受信するＵＥは、前記ＳＮＩを受信することはできない。前記ＳＮＩを受信することができないと、該当ＵＥは、ＵＴＲＡＮがＭＣＣＨで伝送する通知メッセージを受信することができない。
【発明の開示】
【発明が解決しようとする課題】
【００２５】
従って、本発明の目的は、１対多サービスに関する制御情報の通知を送受信する方法を提供することにある。
【００２６】
本発明の付加的な長所と特徴は以下の説明に記載され、一部は当業者が以下の内容を検討するか、又は発明を実施することにより明確になる。本発明の他の長所と目的は以下に記載の説明、請求項、添付図面に特別に指摘された構成によって実現及び達成される。
【課題を解決するための手段】
【００２７】
このような目的を達成するために、本発明は、少なくとも１つの１対多サービスに加入している複数の移動端末が受信する通知情報を第１周期の間にネットワークから受信する段階と、前記通知情報によって第２周期の間に制御情報メッセージを受信するために制御チャネルを受信するか否かを判断する段階と、前記移動端末が前記第２周期の間に前記制御情報メッセージを受信すると決定した場合、前記第２周期の間に前記１対多サービスに関する制御情報メッセージを受信する段階とを含むことを特徴とする無線通信システムの移動端末における１対多サービス受信方法を提供する。
【００２８】
好ましくは、前記通知情報は、特定時間間隔の間に周期的に受信される。前記第１周期は、修正周期であり、前記第２周期は、次の修正周期である。
【００２９】
本発明の一態様において、前記通知情報によって第２周期の間に制御情報メッセージを受信するために制御チャネルを受信するか否かを判断する段階は、前記通知情報が、前記１対多サービスに加入している移動端末が前記第２周期の間に前記制御情報メッセージを受信するように指示しているか否かを判断する段階を含む。
【００３０】
好ましくは、前記制御チャネルは、ＭＣＣＨであり、前記制御情報メッセージは、周期的に受信される。前記通知情報は、ＭＴＣＨを伝送する物理チャネルＳＣＣＰＣＨで受信される。
【００３１】
本発明の他の態様において、前記方法は、前記ネットワークから前記通知情報を受信するためのスケジューリング情報を受信する段階と、前記スケジューリング情報によって前記通知情報を受信する段階をさらに含む。前記スケジューリング情報は、周期的に受信される。スケジューリング周期内で前記通知情報の受信時点は一定でない。好ましくは、前記方法は、前記スケジューリング情報によってＭＴＣＨを伝送するＳＣＣＰＣＨを不連続的に受信する段階をさらに含む。
【００３２】
本発明の他の実施形態によって、無線通信システムのネットワークからの１対多サービス伝送方法は、少なくとも１つの１対多サービスに加入している複数の移動端末に提供される通知情報を第１周期の間に伝送する段階と、第２周期の間に前記１対多サービスに関する制御情報メッセージを送信する段階と、を含むことを特徴とし、前記通知情報は、移動端末で前記第２周期の間に前記制御情報メッセージを受信するための制御チャネルの受信の指示を含む。
【００３３】
好ましくは、前記通知情報は、特定時間間隔の間に周期的に伝送される。前記第１周期は、修正周期であり、前記第２周期は、次の修正周期である。前記制御チャネルは、ＭＣＣＨであり、前記制御情報メッセージは、周期的に送信され、前記通知情報は、ＭＴＣＨを伝送する物理チャネルＳＣＣＰＣＨで伝送される。
【００３４】
本発明の一態様において、前記方法は、前記通知情報を受信するために前記移動端末にスケジューリング情報を伝送する段階と、前記スケジューリング情報によって前記通知情報を伝送する段階とをさらに含む。前記スケジューリング情報は、周期的に伝送される。スケジューリング周期内で前記通知情報の伝送時点は一定でない。好ましくは、前記方法は、前記スケジューリング情報によって前記ＭＴＣＨを伝送する前記ＳＣＣＰＣＨを不連続的に伝送する段階をさらに含む。
【００３５】
本発明の他の実施形態において、移動通信システムにおいて１対多サービスを受信する移動端末は、少なくとも１つの１対多サービスに加入している複数の移動端末が受信する通知情報を第１周期の間にネットワークから受信する手段と、前記通知情報によって第２周期の間に制御情報メッセージを受信するために制御チャネルを受信するか否かを判断する手段と、移動端末が前記第２周期の間に前記制御情報メッセージを受信すると決定した場合、前記第２周期の間に前記１対多サービスに関する前記制御情報メッセージを受信する手段とを含む。
【００３６】
好ましくは、前記通知情報は、特定時間周期の間に周期的に受信される。前記第１周期は、修正周期であり、前記第２周期は、次の修正周期である。
【００３７】
本発明の一態様において、前記通知情報によって第２周期の間に制御情報メッセージを受信するために制御チャネルを受信するか否かを判断するための手段は、前記通知情報が、前記１対多サービスに加入している移動端末が前記第２周期の間に前記制御情報メッセージを受信するように指示しているか否かを判断する手段とを含む。
【００３８】
好ましくは、前記制御チャネルは、ＭＣＣＨであり、前記制御情報メッセージは、周期的に受信され、前記通知情報は、ＭＴＣＨを伝送する物理チャネルＳＣＣＰＣＨで受信される。
【００３９】
本発明の他の態様において、前記移動端末は、前記通知情報を受信するためにネットワークからスケジューリング情報を受信する手段と、前記スケジューリング情報によって前記通知情報を受信する手段とをさらに含む。前記スケジューリング情報は、周期的に受信される。スケジューリング周期内で前記通知情報の受信時点は一定でない。好ましくは、前記移動端末は、前記スケジューリング情報によってＭＴＣＨを伝送するＳＣＣＰＣＨを不連続的に受信する手段をさらに含む。
【００４０】
本発明についての前記一般的な説明と以下の詳細な説明は、単に実施形態を提示して説明をするためのものであり、本発明についての追加的な説明のために記載されたものであることが明白である。
【発明の効果】
【００４１】
本発明において、ネットワークがＭＢＭＳデータを伝送する物理チャネルでＭＣＣＨ受信を示す通知メッセージ（通知インジケータ）を周期的に伝送する。これに応じて、移動端末は、前記通知メッセージの送信をチェックしてＭＣＣＨを受信するか否かを決定する。このような方式により、ＭＢＭＳデータが不連続的に伝送される場合、ＵＥは、前記通知インジケータを容易に受信することができ、ＭＴＣＨがマッピングされたＳＣＣＰＣＨを効果的に受信することができる。
【発明を実施するための最良の形態】
【００４２】
本発明は、１対多サービスに関する制御情報の通知を送受信する方法に関する。
【００４３】
以下、添付図面に示す本発明の好ましい実施形態を詳細に説明する。本発明は、ＵＭＴＳのような移動通信ンシステムにおいて実現される。しかしながら、他の標準に準拠した多くの通信システムにも適用が可能である。
【００４４】
本発明の一実施形態により、ＭＢＭＳデータを不連続的に伝送するとき、ＵＥや移動端末がＳＮＩのような通知インジケータを受信して、ＭＴＣＨのような論理チャネルがマッピングされたＳＣＣＰＣＨのような物理チャネルを効果的に受信できる方法が提供される。
【００４５】
このような目的で、ネットワークは、第１物理チャネルでＭＢＭＳ制御情報を伝送して第２物理チャネルで通知インジケータを伝送するが、前記通知インジケータは、特定ＭＢＭＳサービスデータ及びＭＢＭＳ制御情報の存在を示す。前記ネットワークは、特定周期毎に指定時間間隔で前記通知インジケータを伝送する。その後、移動端末は、前記第１物理チャネルで前記ＭＢＭＳ制御情報を受信し、前記第２物理チャネルで特定ＭＢＭＳサービスデータ及び通知インジケータを受信する。この過程において、移動端末は、特定周期毎に指定時間間隔で前記通知インジケータを受信する。
【００４６】
好ましくは、前記ネットワークは、前記通知インジケータを伝送する前に前記移動端末に通知インジケータの伝送周期を伝送する。特に、前記ネットワークは、特定ＭＢＭＳサービスデータを伝送する前に、ＭＣＣＨやＢＣＣＨなどの論理チャネルで前記移動端末に通知インジケータを伝送する周期を伝送する。
【００４７】
好ましくは、前記ＭＢＭＳ制御情報は、周期的に伝送される。前記通知インジケータは、特定ＭＢＭＳサービスに加入している移動端末が次の周期に伝送されると期待されるＭＢＭＳ制御情報を受信する必要があるか否かを示す。すなわち、前記通知インジケータは、特定ＭＢＭＳサービスに関するＭＢＭＳ制御情報が次の周期に修正されるか否かを示す。従って、前記ＭＢＭＳ制御情報が次の周期に修正される場合、前記特定ＭＢＭＳサービスに加入している移動端末は、該当ＭＢＭＳ制御情報を受信する。
【００４８】
好ましくは、前記通知インジケータは、ＭＴＣＨのような論理チャネルや前記ＭＴＣＨだけでなく、ＳＣＣＰＣＨのような物理チャネルにマッピングされた他の論理チャネルで伝送される。前記他の論理チャネルは、通知インジケータを伝送するときに利用される論理チャネルのセカンダリＭＣＣＨ（以下Ｓ−ＭＣＣＨという）であることもある。
【００４９】
図６は、本発明の一実施形態による通知インジケータ伝送方法を示す。図６に示すように、前記通知インジケータは、特定周期毎に１回ずつ伝送される。ここで、前記特定周期は、通知インジケータ周期である。前記通知インジケータは、１つ以上のＭＢＭＳサービスに関する制御情報がそれぞれ修正されるか否かを通知する。従って、前記通知インジケータは、ＭＢＭＳサービスＩＤ及び前記制御情報の修正されたコンテンツを含む。前記通知インジケータは、論理チャネルＭＴＣＨで、又は、ＭＴＣＨと共に物理チャネルＳＣＣＰＣＨにマッピングされた論理チャネルＳ−ＭＣＣＨで伝送される。
【００５０】
図７は、通知インジケータ伝送とＭＣＣＨ情報伝送との間の時間的相関関係を示す図である。ＭＣＣＨは、修正周期及び繰り返し周期でＭＢＭＳ制御情報を含むＭＣＣＨ情報を伝送する。修正周期（＃ｎ）の間に伝送された通知インジケータは、次の修正周期（＃ｎ＋１）の間に伝送されるＭＣＣＨ情報が修正されるか否かを移動端末に通知する。ここで、ＭＣＣＨが伝送される物理チャネルは、ＭＴＣＨが伝送される物理チャネルとは異なる。
【００５１】
図７に示すように、ＭＴＣＨにマッピングされたＳＣＣＰＣＨを受信した移動端末は、前記修正周期（＃ｎ）の間に伝送された通知インジケータを受信する。前記受信された通知インジケータが前記次の修正周期（＃ｎ＋１）の間に伝送されるＭＣＣＨ情報が修正されることを示す場合、移動端末は、前記修正周期（＃ｎ＋１）の間に伝送されたＭＣＣＨ情報を受信する。
【００５２】
図８は、本発明の一実施形態による通知インジケータ伝送とＭＣＣＨ情報伝送との間の時間的相関関係による移動端末の動作を示す図である。本発明においては、通知インジケータが周期的に伝送されるため、ＵＥ  ＲＲＣは、前記通知インジケータを受信する前にＵＴＲＡＮ  ＲＲＣから通知インジケータ伝送周期に関する情報を受信する。その後、ＵＥの第１層及び第２層は、前記ＵＥ  ＲＲＣの指示によって通知インジケータ周期毎に１回ずつ通知インジケータの受信を試みる。
【００５３】
ＭＴＣＨがマッピングされたＳＣＣＰＣＨを設定すると、ＵＥは、受信進行（ｒｅｃｅｐｔｉｏｎ−ｏｎｇｏｉｎｇ）時間間隔が、前記通知インジケータが毎伝送時間間隔（ＴＴＩ）に関して伝送される時間間隔であるか否かを判断する（Ｓ１０）。前記受信進行時間間隔が前記通知インジケータを伝送する時間間隔であると、ＵＥは前記時間間隔の間にＳＣＣＰＣＨを受信する（Ｓ１１）。
【００５４】
前記ＵＥは、前記時間間隔で受信されたデータユニットが前記通知インジケータに該当するか否かを識別する（Ｓ１２）。識別の結果、前記受信されたデータユニットが通知インジケータである場合、すなわち、通知インジケータが取得された場合、ＵＥは、前記通知インジケータがＵＥが加入しているＭＢＭＳサービスを示しているか否かを確認する（Ｓ１３）。好ましくは、前記通知インジケータは、１つ以上のＭＢＭＳサービスＩＤ及び各サービスに関するＭＣＣＨ情報を修正するか否かを示す情報を含む。前記通知インジケータが、ＵＥが加入し、かつ、前記ＭＢＭＳサービスに関するＭＣＣＨ情報の修正を示すＭＢＭＳサービスＩＤを含む場合、前記ＵＥは、それをＵＥが加入しているＭＢＭＳサービスを示す通知インジケータであると判別する。
【００５５】
前記通知インジケータがＵＥが加入しているＭＢＭＳサービスを示すと認識されると、ＵＥは、前記ＭＣＣＨの次の修正周期の開始時点からＭＣＣＨ受信を開始する（Ｓ１４）。
【００５６】
図９は、通知インジケータをスケジューリング情報と共に伝送する方法を示す図である。ＵＴＲＡＮは、スケジューリング周期毎に１回ずつスケジューリング情報をＵＥに伝送できる。ＵＴＲＡＮは、ＵＥの受信動作を単純化するためにスケジューリング周期毎に１回ずつ通知インジケータも伝送する。図９に示すように、前記スケジューリング周期は、通知インジケータ周期と同一である。従って、ＵＥは、２周期のうち１つの周期で前記スケジューリング情報及び通知インジケータを受信することができる。好ましくは、前記ＵＥは、単純にＵＴＲＡＮが前記スケジューリング情報を伝送する前又は伝送した後に前記通知インジケータを伝送するとき、前記スケジューリング情報及び通知インジケータを受信する。従って、ＵＥは、スケジューリング周期毎に１回ずつ前記スケジューリング情報と共に通知インジケータの受信を開始する。その結果、ＵＥは、図８の方法によって動作する。
【００５７】
図１０は、通知インジケータをスケジューリング情報と共に伝送する他の方法を示す図である。スケジューリング情報は、該当スケジューリング周期内で伝送される通知インジケータの伝送間隔に関する情報を含む。従って、前記通知インジケータは、前記スケジューリング情報によって伝送される。ここで、前記スケジューリング周期内で前記通知インジケータの伝送時点は一定でない。
【００５８】
図１１は、通知インジケータをスケジューリング情報と共に伝送するときの移動端末の動作を示す図である。前述したように、通知インジケータは、スケジューリング情報によって伝送される。従って、ＵＥ  ＲＲＣは、スケジューリング情報を受信して通知インジケータ伝送周期に関する情報を取得する。その後、ＵＥの第１層及び第２層は、ＵＥ  ＲＲＣの指示によってスケジューリング周期毎に該当通知インジケータの受信を開始する。
【００５９】
ＭＴＣＨがマッピングされたＳＣＣＰＣＨを構成するとき、ＵＥは、受信進行時間間隔が、前記スケジューリング情報が各伝送時間間隔（ＴＴＩ）に関して伝送される時間間隔であるか否かを判断する（Ｓ２０）。前記受信進行時間間隔が前記スケジューリング情報を伝送する時間間隔であると確認された場合、ＵＥは、前記時間間隔の間にＳＣＣＰＣＨを受信する（Ｓ２１）。
【００６０】
ＵＥは、前記時間間隔の間に受信されたデータユニットが前記スケジューリング情報に該当するか否かを判断する（Ｓ２２）。前記受信されたデータユニットがスケジューリング情報であると判断された場合、すなわち、前記スケジューリング情報が取得された場合、ＵＥは、前記取得されたスケジューリング情報によってＳＣＣＰＣＨを不連続的に受信する（Ｓ２３）。
【００６１】
また、ＵＥが前記ＳＣＣＰＣＨを不連続的に受信するとき、前記ＳＣＣＰＣＨで受信されたデータユニットが前記通知インジケータに該当するか否かを確認する（Ｓ２４）。前記受信されたデータユニットが通知インジケータである場合、すなわち、前記通知インジケータが取得された場合、ＵＥは、前記通知インジケータがＵＥが加入しているＭＢＭＳサービスに関するＭＣＣＨ情報の修正を示すか否かを確認する（Ｓ２５）。すなわち、前記通知インジケータは、１つ以上のＭＢＭＳサービスＩＤに関する情報及び各サービスに関するＭＣＣＨ情報を修正するか否かに関する情報を含む。従って、前記通知インジケータがＵＥが加入しているＭＢＭＳサービスＩＤを含んで前記サービスに関するＭＣＣＨ情報の修正を示す場合、ＵＥは、前記通知インジケータをＵＥが加入しているＭＢＭＳサービスを示す通知インジケータであると判断する。
【００６２】
前記通知インジケータがＵＥが加入しているＭＢＭＳサービスを示すと判断された場合、ＵＥは、ＭＣＣＨの次の修正周期の開始時点からＭＣＣＨ受信を開始する（Ｓ２６）。
【００６３】
また、前記通知インジケータは、特定ＭＢＭＳサービスに関する多様な情報やメッセージを含む。例えば、前記通知インジケータは、特定ＭＢＭＳサービスに関する１対多無線ベアラの解除情報や前記特定ＭＢＭＳサービスに関する接続情報を含む。ＵＥは、このような情報を含む通知インジケータを受信すると、前記通知インジケータに含まれた情報によって動作する。ＵＴＲＡＮは、１つの修正周期内で周期的に前記通知インジケータを繰り返して伝送する。
【００６４】
前記方法で受信された通知インジケータが前記特定ＭＢＭＳサービスに対する１対多無線ベアラの解除を示す場合、前記ＭＢＭＳサービスに参加しているＵＥは、前記１対多無線ベアラを解除する。また、前記方法で受信された通知インジケータが前記特定ＭＢＭＳサービスに関する接続情報を含む場合、前記サービスに参加しているＵＥは、前記接続情報によってアップリンクでＲＲＣ接続要求メッセージの送信を試みる。
【００６５】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【００６６】
本実施形態は、ソフトウェア、ファームウェア、ハードウェア、又はこれらの組み合わせを生産するための標準プログラミング及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【００６７】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク送送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体（ｉｎｆｏｒｍａｔｉｏｎ  ｂｅａｒｉｎｇ  ｍｅｄｉｕｍ）も含むことができるという点を理解すると思われる。
【００６８】
本発明の精神や重要な特性から外れないように多様な形態で本発明を実現することにより、前述した実施形態のいずれの細部の記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【００６９】
発明の理解を容易にするために添付され、本明細書の一部を構成する図面は、発明の多様な実施形態を示し、明細書と共に発明の原理を説明するためのものである。
【図１】従来の無線通信システムのネットワーク構造を示す図である。
【図２】ＵＥとＵＴＲＡＮ間の無線アクセスネットワーク標準による従来の無線インタフェースプロトコル構造を示す図である。
【図３】移動端末に対するＭＢＭＳサービスのための従来のチャネルマッピングを示す図である。
【図４】従来のＭＣＣＨ情報伝送方法を示す図である。
【図５】従来の物理チャネルでの不連続ＭＢＭＳデータ、スケジューリング情報、及びＳＮＩ伝送方法を示す図である。
【図６】本発明の一実施形態による通知インジケータ伝送方法を示す図である。
【図７】本発明の一実施形態による通知インジケータ伝送とＭＣＣＨ情報伝送との間の時間的相関関係を示す図である。
【図８】本発明の一実施形態による通知インジケータ伝送とＭＣＣＨ情報伝送との間の時間的相関関係による移動端末の動作を示す図である。
【図９】本発明の一実施形態による通知インジケータをスケジューリング情報と共に伝送する方法を示す図である。
【図１０】本発明の一実施形態による通知インジケータをスケジューリング情報と共に伝送する他の方法を示す図である。
【図１１】本発明の一実施形態による通知インジケータをスケジューリング情報と共に伝送するときの移動端末の動作を示す図である。
【図１】
2007536785.tif 000003
【図２】
2007536785.tif 000004
【図３】
2007536785.tif 000005
【図４】
2007536785.tif 000006
【図５】
2007536785.tif 000007
【図６】
2007536785.tif 000008
【図７】
2007536785.tif 000009
【図８】
2007536785.tif 000010
【図９】
2007536785.tif 000011
【図１０】
2007536785.tif 000012
【図１１】
2007536785.tif 000013
【国際調査報告】
2007536785.tif 000014
2007536785.tif 000015